(57)【特許請求の範囲】
【請求項１】
内箱と外箱との間に真空断熱材を挟んで断熱箱体として構成される冷蔵庫本体および前記断熱箱体の前面開口部を開閉する扉を有し、該扉は内板と外板との間に真空断熱材を挟んで構成される冷蔵庫であって、
前記扉の真空断熱材の周囲に形成される耳部分が当該真空断熱材の内側に折り返され、当該耳部分の折り返し先端が、扉の密閉性を高めるために当該扉の端部に設けられるガスケットを扉に取り付ける差込部の中心よりも内側にあることを特徴とする冷蔵庫。
【請求項２】
前記扉から冷気漏れを防ぐために庫内側に突出する冷気漏れ防止部を有し、前記扉の真空断熱材端部は前記冷気漏れ防止部より外側に延出していることを特徴とする請求項１記載の冷蔵庫。
【発明の詳細な説明】
【技術分野】
【０００１】
本発明の実施形態は、冷蔵庫に関する。
【背景技術】
【０００２】
冷蔵庫は、その断熱性能の向上および省エネルギー化を図るために、冷蔵庫本体となる断熱箱体を構成する外箱と内箱の間の空間に真空断熱材を充填するとともに、また前記断熱箱体の前面開口部を開閉する扉を構成する内板と外板との間にも真空断熱材を充填している。
【発明の概要】
【発明が解決しようとする課題】
【０００３】
しかしながら、前記断熱箱体を構成する側壁部の扉に近い前端部に対応する前記扉の端部には、従来、真空断熱材が配設されていないため、すなわちこの扉の端部には従来ガスケットなどがあって、真空断熱材を配設することができないため、この端部の断熱性が損なわれ、冷蔵庫全体としての断熱効果が低下するとともに、扉の端部に結露が発生するという問題がある。
【０００４】
本発明は、上記に鑑みてなされたもので、その目的とするところは、断熱箱体の前面開口部を開閉する扉の端部の断熱性能を向上し得る冷蔵庫を提供することにある。
【課題を解決するための手段】
【０００５】
実施形態の冷蔵庫は、 内箱と外箱との間に真空断熱材を挟んで断熱箱体として構成される冷蔵庫本体および前記断熱箱体の前面開口部を開閉する扉を有し、該扉は内板と外板との間に真空断熱材を挟んで構成される冷蔵庫であって、前記扉の真空断熱材の周囲に形成される耳部分が当該真空断熱材の内側に折り返され、当該耳部分の折り返し先端が、扉の密閉性を高めるために当該扉の端部に設けられるガスケットを扉に取り付ける差込部の中心よりも内側にある。
【図面の簡単な説明】
【０００６】
【図１】本発明の一実施形態に係わる冷蔵庫の全体構造を示す斜視図である。
【図２】図１に示した冷蔵庫の横断面図である。
【図３】図２に示した冷蔵庫の横断面図において点線の丸印Ａで囲まれた部分の角部の内部構造を詳細に示す断面図である。
【図４】本発明の前記実施形態における第１の冷凍室扉と左側板状部との角部の温度特性を角部の構造の上に重複して示す図である。
【図５】従来における第１の冷凍室扉と左側板状部との角部の温度特性を角部の構造の上に重複して示す図である。
【発明を実施するための形態】
【０００７】
以下、図面を用いて、本発明を実施するための形態(以下、実施形態と称する)を説明する。
【０００８】
図１は、本発明の一実施形態に係わる冷蔵庫の全体構造を示す斜視図である。同図に示す冷蔵庫１は、その本体が内箱と外箱との間に真空断熱材を挟んで構成される断熱箱体３で構成され、この断熱箱体３は、天井となる上面壁を構成する上面板状部５、底面壁を構成する底面板状部７、左側壁を構成する左側板状部９、右側壁を構成する右側板状部１１および背面壁を構成する背面板状部１３で構成されている。
【０００９】
なお、図１においては、右側板状部１１、背面板状部１３および底面板状部７は、背後に隠れている。また、上面板状部５、底面板状部７、左側板状部９、右側板状部１１および背面板状部１３を総称して記載する場合には、単に板状部と称することにする。
【００１０】
また、前記複数の板状部で上下左右および背部を囲まれた断熱箱体３の前面開口側には、観音開き式の冷蔵室扉１５、引き出し式の野菜室扉１７、引き出し式の製氷室扉１９、引き出し式の第１の冷凍室扉２１、および引き出し式の第２の冷凍室扉２３が取り付けられている。なお、第２の冷凍室扉２３は、製氷室扉１９の横に並んで設けられている。なお、これらの冷蔵室扉１５、野菜室扉１７、製氷室扉１９、第１の冷凍室扉２１および第２の冷凍室扉２３の奥の断熱箱体３内には、それぞれ冷蔵室、野菜室、製氷室、第１の冷凍室および第２の冷凍室が設けられているものである。
【００１１】
図２は、図１に示した冷蔵庫１の横断面図である。具体的には、例えば図１の冷蔵庫１の第１の冷凍室扉２１の中程を水平に切断した横断面図である。同図に示すように、冷蔵庫１の断熱箱体３は、断面が左側板状部９、右側板状部１１および背面板状部１３で囲まれたコの字形に構成され、このコの字形状の断熱箱体３の前側の前面開口部に第２の冷凍室扉２１が取り付けられている。
【００１２】
図３は、図２に示した冷蔵庫１の横断面図において点線の丸印Ａで囲まれた部分である左側板状部９の前端部と第２の冷凍室扉２１の左端部とが当接する角部の内部構造を詳細に示す断面図である。図３に示すように、第１の冷凍室扉２１は、扉外板３１と扉内板３３との間に真空断熱材３５を挟んで構成されている。
【００１３】
通常、真空断熱材には、その製造上の理由から周囲に芯材を覆うラミネートフィルム等のフィルムの余長部分が生じる。図３に示す真空断熱材３５の端部はほぼ方形であるが、これは端部の余長部分、すなわち耳部を成形しながら折り曲げ真空断熱材面に密着させているためである。具体的には真空断熱材３５では、その耳部は真空断熱材３５端部から扉内板３３側に折り曲げ成形され、その面部分に密着するように成形される。すなわち図３では耳部は真空断熱材３５のガスケット部４１側面に密着することで、フィルムが重なり当該密着面部分を補強している。なお、この折り返し部分は、内部の接着剤により、密封状態が強固に保たれている。
【００１４】
また、冷蔵庫１の側壁部を構成する左側板状部９も同様に左側外板９１と左側内板９３との間に真空断熱材９５を挟んで構成されている。
【００１５】
また、第１の冷凍室扉２１の内側は、左端部にガスケット４１が取り付けられ、また当該ガスケット４１の手前には、すなわち同図においてガスケット４１の右側には、第１の冷凍室の内部に向かうように斜めに折曲して大きく突出する突出部としてのスロート部４３が設けられる。このスロート部４３の内部には、発泡断熱材３７が充填される。このスロート部４３は、冷気の逃げ場を塞ぐことにより、冷気漏れ防止部として機能し、さらに冷凍効率を上げている。
【００１６】
ガスケット４１は、左側板状部９の前端部に当接する端部にマグネット４５が取り付けられ、このマグネット４５により第１の冷凍室扉２１の端部は左側板状部９の前端部に磁着するようになっている。また、このマグネット４５の内側には、エアクッション部４７が設けられ、第１の冷凍室扉２１を閉じた時の左側板状部９に対する衝撃を緩衝するようになっている。
【００１７】
前記エアクッション部４７と第１の冷凍室扉２１の扉内板３３との間には、ガスケット取付部４９が設けられ、このガスケット取付部４９の内部にエアクッション部４７から伸び出ている矢尻状の差込部５１が差し込まれている。なお、このガスケット取付部４９は、扉内板３３と一体、例えば扉内板３３の延長として形成されるものであっても良い。
【００１８】
また、ガスケット取付部４９とエアクッション部４７との間であって、ガスケット取付部４９の両側には、ひれ部５３、５５が取り付けられ、このひれ部５３、５５で第１の冷凍室からの冷気の漏洩を防止し、この漏洩冷気による第１の冷凍室扉２１の内部の結露を抑制している。
【００１９】
図４および図５は、本発明および従来における上述した第１の冷凍室扉２１と左側板状部９との角部の温度特性を角部の構造の上に重複して示す図である。なお、図４および図５において、符号ａは、温度２２．６゜Ｃ、符号ｂは、温度１６．８゜Ｃ、符号ｃは、温度１１．０゜Ｃ、符号ｄは、温度５．２゜Ｃ、符号ｅは、温度―０．６゜Ｃ、符号ｆは、温度―６．４゜Ｃを示す点であり、これらと同じ温度を示す複数の点を連結した線で示す同じ温度帯がグラフとして示されている。
【００２０】
まず、図５を参照して、従来の温度特性について説明すると、図５に示す従来の温度特性では、第１の冷凍室扉２１の真空断熱材は、符号１０１で示すように、第１の冷凍室扉２１の左端部まで延出してなく、手前のスロート部のところで終端している。従って、この従来における温度分布において、符号ａで示す温度２２．６゜Ｃと符号ｂで示す温度１６．８゜Ｃとの間の結露温度帯は、従来の真空断熱材のない角部に発生し、この角部に結露が発生する可能性を有していた。
【００２１】
これに対して、図４に示す本発明の実施形態では、第１の冷凍室扉２１の真空断熱材３５は、第１の冷凍室扉２１の左端部まで延出し、側壁部である左側板状部９内の真空断熱材９５の扉に向かって延出する先端部を覆うように延出している。従って、この本発明の実施形態における温度分布において、符号ａで示す温度２２．６゜Ｃと符号ｂで示す温度１６．８゜Ｃとの間の結露温度帯は、第１の冷凍室扉２１の真空断熱材３５内に発生し、この角部の結露温度帯は、真空断熱材３５内で塞がっており、すなわち真空断熱材３５内に閉じ込められていて、第１の冷凍室扉２１の端部に結露が発生する可能性が全く無いものとなっている。
【００２２】
以上のように構成される本実施形態の冷蔵庫において、第１の冷凍室扉２１を構成する真空断熱材３５は、扉外板３１と扉内板３３との間に挟まれて、第１の冷凍室扉２１の左端部まで延出し、断熱箱体を構成する側壁部である左側板状部９内の真空断熱材９５の扉に向かって延出する先端部を覆うように当該先端部を超えて延出しているため、第１の冷凍室扉２１の左端部における断熱性能が向上するとともに、この部分に結露温度帯が閉じ込められ、結露が発生することも防止することができる。
【００２３】
なお、側壁部である左側板状部９内の真空断熱材９５の扉に向かって延出する先端部を覆うように当該先端部を超えて延出するとは、具体的には、第１の冷凍室扉２１の真空断熱材３５の左端部は、前記ガスケット４１のガスケット取付部４９の中心位置よりも例えば３ｍｍ以上外側に延出していることであり、これによりこの部分の断熱性能が向上できるとともに、この部分に結露が発生することも防止することができるのである。
【００２４】
また、冷気漏れ防止部として機能するスロート部４３の内部に発泡断熱材（ＥＰＳ等）が存在する構成の場合は、その限りではなく、スロート部４３にある発泡断熱材の延出する位置よりも外側に延出していることでも断熱性能の向上を期待できる。
【００２５】
更に、上述したように、第１の冷凍室扉２１の真空断熱材３５を、その左端部がガスケット取付部４９の中心位置よりも外側に延出させて、第１の冷凍室扉２１の左端部まで延出させることにより、断熱箱体３の正面から見た大きさである正面視サイズに対する真空断熱材の被覆率を増大することができるものであり、第１の冷凍室扉２１と左側板状部９との角部の断熱性能を向上させることができ、ひいては冷蔵庫１の断熱性能を向上することができ、結露を防止することができる。
【００２６】
なお、上記実施形態では、第１の冷凍室扉２１と左側板状部９との間の角部について説明したが、これに限定されるものでなく、その他の扉と左側板状部９との間の角部およびその他の扉と右側板状部１１との間の角部でも同様である。
【００２７】
また、上記実施形態では、冷蔵庫の外箱および内箱を構成する上面板状部５、底面板状部７、左側板状部９、右側板状部１１がそれぞれ別々に分割され、これらをそれぞれの係合部である角部で連結して、冷蔵庫の断熱箱体を構成しているが、すなわち断熱箱体の外箱を構成する外箱用板部材のそれぞれが別々に分割されているが、本発明はこれに限定されるものでなく、外箱用板部材が一体的に連結されて、一枚の板のように構成されているものでもよい。また、断熱箱体３の内箱２０を構成する内箱用板部材のそれぞれが別々に分割されていているものに限定されるものでなく、一体的に連結されて箱状に形成するように構成されているものでもよい。
【００２８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２９】
1  冷蔵庫
3  断熱箱体
５  上面板状部
７  底面板状部
９  左側板状部
１１  右側板状部
１３  背面板状部
１５  冷蔵室扉
１７  野菜室扉
１９  製氷室扉
２１  第１の冷凍室扉
２３  第２の冷凍室扉
３１  扉外板
３３  扉内板
３５  第１の冷凍室扉の真空断熱材
３７  発泡断熱材
４１  ガスケット
４３  スロート部
４５  マグネット
４７  エアクッション部
４９  ガスケット取付部
５１  差込部
５３、５５  ひれ部
９１  左側外板
９３  左側内板
９５  左側板状部の真空断熱材
【図１】
0005851223.tif 000002
【図２】
0005851223.tif 000003
【図３】
0005851223.tif 000004
【図４】
0005851223.tif 000005
【図５】
0005851223.tif 000006